(57)【特許請求の範囲】
【請求項１】
映像フレームの各１ラインの区間が、終了同期符号領域と、補助データ領域と、開始同期符号領域と、素材用アイテムのデータや、前記素材用アイテムのデータに関する情報を有するシステムアイテムのデータが挿入されるペイロード領域と、で構成されるシリアルデータトランスファーインタフェースの伝送パケットを伝送するデータ伝送方法において、
記録媒体に記録されている素材データから所望のデータを読み出すための再生情報であって、前記記録媒体から読み出された素材データを１ファイル化すると共に、前記１ファイル化された素材データに対応して変換される再生情報を前記ペイロード領域のアイテムに挿入して伝送するデータ伝送方法。
【請求項２】
映像フレームの各１ラインの区間が、終了同期符号領域と、補助データ領域と、開始同期符号領域と、素材用アイテムのデータや、前記素材用アイテムのデータに関する情報を有するシステムアイテムのデータが挿入されるペイロード領域と、で構成されるシリアルデータトランスファーインタフェースの伝送パケットを伝送するデータ伝送装置において、
記録媒体に記録されている素材データから所望のデータを再生するための再生情報であって、前記記録媒体から読み出された素材データを１ファイル化すると共に、前記１ファイル化された素材データに対応して変換される再生情報を前記ペイロード領域のアイテムに挿入する制御手段を有するデータ伝送装置。
【請求項３】
ランダムアクセス可能な記録媒体に記録されている素材データから所望のデータを再生するための再生情報に基づいて、前記記録媒体から素材データを割り当てられた処理期間で読み出し、
前記記録媒体から読み出された素材データを１ファイル化すると共に、前記再生情報を前記１ファイル化された素材データに対応した新たな再生情報に変換し、
映像フレームの各１ラインの区間が、終了同期符号領域と、補助データ領域と、開始同期符号領域と、素材用アイテムのデータや、前記素材用アイテムのデータに関する情報を有するシステムアイテムのデータが挿入されるペイロード領域と、で構成されるシリアルデータトランスファーインタフェースの伝送パケットの、前記ペイロード領域のアイテムに、変換した前記新たな再生情報と読み出した前記素材データとを挿入して出力するデータ再生方法。
【請求項４】
前記再生情報は、
前記素材データの再生条件や前記素材データの再生動作を制御する情報を有する請求項３記載のデータ再生方法。
【請求項５】
映像フレームの各１ラインの区間が、終了同期符号領域と、補助データ領域と、開始同期符号領域と、素材用アイテムのデータや、前記素材用アイテムのデータに関する情報を有するシステムアイテムのデータが挿入されるペイロード領域と、で構成されるシリアルデータトランスファーインタフェースの伝送パケットの、前記ペイロード領域のアイテムに、１ファイル化された素材データと、前記１ファイル化された素材データに対応して変換され、前記素材データの再生動作を制御する再生情報とが挿入されて供給されたときには、
前記素材データを、割り当てられた処理期間でランダムアクセス可能な記録媒体に書き込むものとし、
前記記録媒体に記録された前記素材データを管理する管理手段に前記再生情報を登録するデータ記録方法。
【請求項６】
ランダムアクセス可能な記録媒体に記録されている時間順の素材データの記録位置を管理すると共に、前記記録媒体に記録されている素材データから所望のデータを再生するための再生情報を保持する管理手段と、
前記管理手段に保持された再生情報に基づいて、前記記録媒体から割り当てられた処理期間で前記素材データを読み出すデータ読み出し手段と、
前記データ読み出し手段によって読み出された素材データを１ファイル化すると共に、前記管理手段に保持された再生情報を前記１ファイル化された素材データに対応した新たな再生情報に変換する制御手段と、
映像フレームの各１ラインの区間が、終了同期符号領域と、補助データ領域と、開始同期符号領域と、素材用アイテムのデータや、前記素材用アイテムのデータに関する情報を有するシステムアイテムのデータが挿入されるペイロード領域と、で構成されるシリアルデータトランスファーインタフェースの伝送パケットの、前記ペイロード領域のアイテムに、前記制御手段で変換された新たな再生情報と前記データ読み出し手段で読み出された素材データとを挿入して伝送するデータ伝送手段とを有するデータ記録再生装置。
【請求項７】
前記再生情報は、
前記素材データの再生条件や前記素材データの再生動作を制御する情報を有する請求項６記載のデータ記録再生装置。
【請求項８】
ランダムアクセス可能な記録媒体に記録されている時間順の素材データの記録位置を管理すると共に、前記記録媒体に記録されている素材データから所望のデータを再生するための再生情報を保持する管理手段と、
映像フレームの各１ラインの区間が、終了同期符号領域と、補助データ領域と、開始同期符号領域と、素材用アイテムのデータや、前記素材用アイテムのデータに関する情報を有するシステムアイテムのデータが挿入されるペイロード領域と、で構成されるシリアルデータトランスファーインタフェースの伝送パケットを受信する受信手段と、
前記素材データの再生条件や再生動作を制御する再生情報であって、前記受信手段によって受信された前記伝送パケットの前記ペイロード領域のアイテムに挿入して供給される１ファイル化された素材データに対応して変換される再生情報を前記管理手段に登録する制御手段とを有するデータ記録再生装置。
【発明の詳細な説明】
【０００１】
【発明の属する技術分野】
この発明は、データ伝送方法とデータ伝送装置およびデータ記録方法とデータ再生方法とデータ記録再生装置に関する。詳しくは、記録媒体に記録されている素材データから編集処理後の順序で素材データを読み出すための再生情報、あるいは再生情報と再生情報で示される素材データをＳＤＴＩ−ＣＰフォーマットで伝送するものである。
【０００２】
【従来の技術】
近年、複数の映像／音声データを同時に記録あるいは再生したり、記録しながら再生できる記録再生装置の要求が高まっている。そして、この要求を満たすため、ランダムアクセス可能な記録媒体例えば磁気や光を利用したディスクを用いて、映像／音声データ等を記録再生できるＡＶ(Audio and/or Video)サーバと呼ばれる装置が普及しつつある。また、放送局等では、素材を記録したサーバや番組やコマーシャル等を送出するためのサーバなど複数のサーバが用いて映像／音声データ等を記録再生するだけでなく、素材を記録したサーバから映像／音声データを編集装置によって読み出すと共に編集処理を行い、編集処理後の映像／音声データ等を送出用のサーバに記録させることも行われている。
【０００３】
また編集装置では、素材を再生するための情報として、再生するデータのファイル名や記録位置および再生時間等を示す再生情報を生成することで、映像／音声データを記録し直さなくとも、蓄積されている映像／音声データから再生情報に基づいて映像／音声データを読み出して再生することにより、編集後の映像／音声データを出力することができるようになされている。このため、アーカイブを作成したり素材のデータを有してないサーバに編集結果を伝送する場合には、再生情報と素材データを伝送することが行われる。
【０００４】
【発明が解決しようとする課題】
ところで、再生情報と素材データを伝送する場合に、ＳＭＰＴＥ−２５９Ｍ「10-bit 4:4:2 Component and 4fsc NTSC Composite Digital Signals-Serial Digital Interface」（以下「ＳＤＩフォーマット」という）のディジタル信号シリアル伝送フォーマットを用いたときには、伝送されるデータが非圧縮データであることから、伝送に時間を要してしまう。
【０００５】
また、素材データを例えばＭＰＥＧ(Moving Picture Experts Group)方式で圧縮して伝送するものとした場合、例えば１ＧＯＰ(Group of Pictures)が２フレームとされていると共に、画像予測が２つのＧＯＰにまたがっているようなフォーマットのデータでは、編集された素材データを伝送する場合、図１５Ａに示す圧縮された映像データに対して編集ポイントが設定されて、ＧＯＰ-k以降の映像データを用いるものとされたとき、ＧＯＰ-kのデータをデコードする際にＧＯＰ-(k-1)のデータが必要とされるときには、図１５Ｂに示すようにＧＯＰ-(k-1)のデータものりしろＧＯＰとして伝送しなければ、正しくデコードを行うことができない。このため、編集ポイントが多くなると、編集ポイントの前や後のＧＯＰであるのりしろＧＯＰも多くなることから、再生情報と素材データの伝送処理が複雑となると共に伝送するデータ量も増加してしまう。
【０００６】
そこで、この発明では、編集結果を高速かつ効率良く伝送できるデータ伝送方法とデータ伝送装置およびデータ記録方法とデータ再生方法とデータ記録再生装置を提供するものである。
【０００７】
【課題を解決するための手段】
この発明に係るデータ伝送方法は、映像フレームの各１ラインの区間が、終了同期符号領域と、補助データ領域と、開始同期符号領域と、素材用アイテムのデータや、素材用アイテムのデータに関する情報を有するシステムアイテムのデータが挿入されるペイロード領域と、で構成されるシリアルデータトランスファーインタフェースの伝送パケットを伝送するデータ伝送方法において、記録媒体に記録されている素材データから所望のデータを読み出すための再生情報であって、記録媒体から読み出された素材データを１ファイル化すると共に、１ファイル化された素材データに対応して変換される再生情報をペイロード領域のアイテムに挿入して伝送するものである。
【０００８】
また、データ伝送装置は、映像フレームの各１ラインの区間が、終了同期符号領域と、補助データ領域と、開始同期符号領域と、素材用アイテムのデータや、素材用アイテムのデータに関する情報を有するシステムアイテムのデータが挿入されるペイロード領域と、で構成されるシリアルデータトランスファーインタフェースの伝送パケットを伝送するデータ伝送装置において、記録媒体に記録されている素材データから所望のデータを再生するための再生情報であって、記録媒体から読み出された素材データを１ファイル化すると共に、１ファイル化された素材データに対応して変換される再生情報をペイロード領域のアイテムに挿入する制御手段を有するものである。
【０００９】
データ再生方法は、ランダムアクセス可能な記録媒体に記録されている素材データから所望のデータを再生するための再生情報に基づいて、記録媒体から素材データを割り当てられた処理期間で読み出し、記録媒体から読み出された素材データを１ファイル化すると共に、再生情報を１ファイル化された素材データに対応した新たな再生情報に変換し、映像フレームの各１ラインの区間が、終了同期符号領域と、補助データ領域と、開始同期符号領域と、素材用アイテムのデータや、素材用アイテムのデータに関する情報を有するシステムアイテムのデータが挿入されるペイロード領域と、で構成されるシリアルデータトランスファーインタフェースの伝送パケットの、ペイロード領域のアイテムに、変換した新たな再生情報と読み出した素材データとを挿入して出力するものである。
【００１０】
データ記録方法は、映像フレームの各１ラインの区間が、終了同期符号領域と、補助データ領域と、開始同期符号領域と、素材用アイテムのデータや、素材用アイテムのデータに関する情報を有するシステムアイテムのデータが挿入されるペイロード領域と、で構成されるシリアルデータトランスファーインタフェースの伝送パケットの、ペイロード領域のアイテムに、素材データと素材データの再生動作を制御する再生情報が挿入されて供給されたときには、素材データを、割り当てられた処理期間でランダムアクセス可能な記録媒体に書き込むものとし、記録媒体に記録された素材データを管理する管理手段に再生情報を登録するものである。
【００１１】
データ記録再生装置は、ランダムアクセス可能な記録媒体から割り当てられた処理期間で記録媒体に記録されている時間順の素材データを読み出し、あるいは記録媒体に割り当てられた処理期間で時間順の素材データを記録するデータ記録再生装置において、記録媒体に記録されている素材データの記録位置を管理すると共に、記録媒体に記録されている素材データから所望のデータを再生するための再生情報を保持する管理手段と、管理手段に保持された再生情報に基づいて、記録媒体から素材データを読み出すデータ読み出し手段と、映像フレームの各１ラインの区間が、終了同期符号領域と、補助データ領域と、開始同期符号領域と、素材用アイテムのデータや、素材用アイテムのデータに関する情報を有するシステムアイテムのデータが挿入されるペイロード領域と、で構成されるシリアルデータトランスファーインタフェースの伝送パケットの、ペイロード領域のアイテムに、再生情報とデータ読み出し手段で読み出した素材のデータを挿入して伝送するデータ伝送手段とを有するものである。また、記録媒体に記録されている素材データの記録位置を管理すると共に、記録媒体に記録されている素材データから所望のデータを再生するための再生情報を保持する管理手段と、映像フレームの各１ラインの区間が、終了同期符号領域と、補助データ領域と、開始同期符号領域と、素材用アイテムのデータや、素材用アイテムのデータに関する情報を有するシステムアイテムのデータが挿入されるペイロード領域と、で構成されるシリアルデータトランスファーインタフェースの伝送パケットを受信する受信手段と、素材データと共に、素材データの再生条件や素材データの再生動作を制御する再生情報がペイロード領域のアイテムに挿入されて供給されたときには、供給された再生情報を管理手段に登録する制御手段とを有するものである。
【００１２】
この発明においては、ランダムアクセス可能な記録媒体から割り当てられた処理期間を利用して再生情報で示された素材データが読み出されて１ファイル化される。また、再生情報は素材データの再生条件や素材データの再生動作を制御する情報を有しており、この再生情報は、１ファイル化された素材データに対応した再生情報に変換されたのち、１ファイル化された素地データと共にＳＤＴＩ−ＣＰフォーマットの伝送パケットとして伝送される。また、この伝送パケットを受信したときには、１ファイル化された素材データがランダムアクセス可能な記録媒体に、割り当てられた処理期間を利用して書き込まれる。また、再生情報は、記記録媒体に記録されている素材データの記録位置を管理すると共に、記録媒体に記録されている素材データから所望のデータを再生するための再生情報を保持する管理手段に登録される。
【００１３】
【発明の実施の形態】
以下、図面を参照しながら、この発明の実施の形態について説明する。図１は、データ記録再生装置、例えばＡＶサーバの構成を示しており、ＡＶサーバは、入出力処理部２０とストレージ部３０および動作管理部４０で構成される。
【００１４】
入出力処理部２０は複数設けることが可能とされており、この入出力処理部２０は、外部から供給された所定のフォーマットの伝送パケットから、時間順の素材データである番組等の圧縮されている映像データや非圧縮あるいは圧縮されている音声データを分離して、この映像／音声データをストレージ部３０に記録する。また時間順の素材データと共に供給された情報データは動作管理部４０に供給する。また、入出力処理部２０では、ストレージ部３０に記録されている映像／音声データおよび動作管理部４０から情報データを読み出して外部に出力する。なお、映像／音声データおよび情報データの書き込みや読み出しはバス５０を介して行われる。
【００１５】
時間順の素材データ等の伝送では、例えばＳＤＩフォーマットを利用して圧縮データ等も伝送するための規格ＳＭＰＴＥ−３０５Ｍ「Serial Data Transport Interface」（（以下「ＳＤＴＩフォーマット」という）に基づき、このＳＤＴＩフォーマットのペイロード部でコンテントパッケージを伝送するＳＤＴＩ−ＣＰ(Content Package)フォーマットを用いるものとする。
【００１６】
ＳＤＴＩ−ＣＰでは、番組の本質的なデータ例えばビデオやオーディオの素材をエッセンス(Essence)とし、エッセンスの内容例えば番組のタイトルやビデオ方式（ＮＴＳＣあるいはＰＡＬ）およびオーディオサンプリング周波数等の情報をメタデータ(Metadata)とする。このエッセンスとメタデータからコンテントエレメント(Content Element)を構成して、さらに複数のコンテントエレメントを用いて映像や音声のコンテントアイテム(Content Item)を生成して、複数のコンテントアイテムやコンテントエレメントからコンテントパッケージ(Content Package)を構成し、このコンテントパッケージをＳＤＴＩフォーマットのペイロード部を利用して伝送するものである。なお、ＳＤＴＩ−ＣＰの詳細については後述する。
【００１７】
入出力処理部２０のデータ受信回路２０１では、ＳＤＴＩ−ＣＰフォーマットの伝送パケットを受信したとき、アイテム毎にデータを分離してバッファメモリ２０２や入出力制御回路２０５に供給する。バッファメモリ２０２に保持されたデータは、後述する動作管理部４０のタイミングマネジャ４０１によって割り当てられた処理期間であるタイムスロットを利用して、入出力制御回路２０５によってストレージ部３０に記録される。また、割り当てられたタイムスロットの期間を利用して、入出力制御回路２０５によってストレージ部３０から読み出されたデータはバッファメモリ２０３に供給されて保持される。
【００１８】
さらに、編集処理によって生成された再生情報等の情報データも、割り当てられたタイムスロットの期間を利用して入出力制御回路２０５からファイルマネジャ４０２に供給され、あるいはファイルマネジャ４０２から入出力制御回路２０５に供給される。
【００１９】
入出力制御回路２０５では、バッファメモリ２０３に保持されているデータに関する情報や、ファイルマネジャ４０２から供給された情報データ等に基づいて、後述するシステムアイテムのデータを生成してデータ送信回路２０４に供給する。
【００２０】
データ送信回路２０４では、バッファメモリ２０３に保持されたデータや入出力制御回路２０５から供給されたシステムアイテムのデータに基づいて、ＳＤＴＩ−ＣＰのフォーマットの伝送パケットを生成し、この伝送パケットのパラレル／シリアル変換および伝送路符号化を行いシリアルデータとして出力する。
【００２１】
ストレージ部３０は、ランダムアクセスが可能な記録媒体を用いた記録再生装置、例えばＰatterson等によって１９８８年に発表された論文（“A Case for Redundant Arrays of Inexpensive Disks(ＲＡＩＤ)”,ＡＣＭ ＳＩＧＭＯＮＤ Conference,Chicago,III,Jun.1-3,1988.）に提唱されているようにハードディスク装置を複数台用いて構成されたＲＡＩＤ（Redundant Arrays of Inexpensive Disks）が用いられている。このストレージ部３０では、入出力処理部２０から供給された映像や音声データを記録する。なお、ランダムアクセスが可能な記録媒体は光ディスクや半導体メモリ等であっても良いことは勿論でる。
【００２２】
動作管理部４０のタイミングマネジャ４０１では、バス５０の使用権を時分割してタイムスロットを設定することにより各入出力処理部２０に対する処理期間を割り当てる。このため、入出力処理部２０がバス５０に複数接続されていても、各入出力処理部２０で正しく映像／音声データの書き込みや読み出しを行うことができる。
【００２３】
ファイルマネジャ４０２では、ストレージ部３０にどのようなデータが記録されているかファイル管理情報を生成して管理する。また、入出力処理部２０を介して供給された再生情報を保持する。また、エフェクトマネジャ４０３には操作パネル（図示せず）が接続されて、操作パネルの操作に応じてＡＶサーバを動作させる。
【００２４】
ここで、ストレージ部３０に記録された映像や音声データのファイル管理について説明し、その後再生情報について説明する。
【００２５】
ファイル管理情報は、いわゆるリンクト・リスト(linked list) の形式のリスト（レコードエントリ）として作成されている。図２はファイルマネジャ４０２で生成されたファイル管理情報を示す図である。ファイル管理情報は、ファイル単位での特有の情報を管理するためのファイルエントリＥＦ、ストレージ部３０内での実記録位置などを管理するためのレコードエントリＥＲ、およびストレージ部３０内での空き領域などを管理するためのフリースペースエントリＦＳ等から構成される。また、ファイルエントリＥＦやレコードエントリＥＲは、ファイルマネジャ４０２で複数個管理できるようにされている。
【００２６】
図３は、ファイル管理情報の各エントリの構成を示している。ファイルエントリＥＦは、ファイル毎に特有の名前を示すための「ファイル名」と、当該ファイル名に対する最初のレコードエントリへのリンクを示す「最初のレコードエントリのリンク」とを有している。ここで、レコードとはストレージ部３０の媒体上で連続記録されるデータの一まとまりのことである。
【００２７】
レコードエントリＥＲは、ストレージ部３０における１つのレコードの実記録開始位置を示す「先頭位置データ」と、当該レコードのデータの実記録サイズを示す「記録長データ」、次のレコードエントリを示す「次のレコードエントリへのリンク」を有している。ここで、「次のレコードエントリのリンク」のリンクデータが終了値(ＥＮＤ) である場合には、このレコードエントリが最終レコードエントリであることが示される。なお、レコードエントリには、当該レコードのデータを削除してもよいか否か等の情報を示す「制御フラグ」等も必要に応じて設けられて、例えば制御フラグが「ＯＮ」のときレコードエントリで示されるデータが削除可能であり、「ＯＦＦ」のとき削除不可能であることがそれぞれ示される。また制御フラグを「ＭＵＴＥ」として、データの再生を許可しないものとすることもできる。
【００２８】
フリースペースエントリＦＳは、当該フリースペースの開始位置を示す「先頭位置データ」と、当該フリースペースのサイズを示す「サイズデータ」、次の空き領域のフリースペースを示す「次のフリースペースのリンク」とを有している。
【００２９】
図４は、あるファイルにおいて、ファイルエントリおよびレコードエントリが、どのように生成されるかを示す図である。例えばファイル名「ＦＩＬＥ１」のデータが図４Ａに示すように、ストレージ部３０内の３つの場所に「ＦＩＬＥ１-1」「ＦＩＬＥ１-2」「ＦＩＬＥ１-3」として分割されて記録された場合について説明する。
【００３０】
ここで、図４Ｂに示すように、ファイル名の領域が「ＦＩＬＥ１」でレコードエントリヘのリンクの領域が最初の「レコードエントリＲＥ１へのリンク」を示すファイルエントリＦＥを生成する。
【００３１】
次に、最初のレコードエントリＲＥ１では、ファイル名「ＦＩＬＥ１」のデータが位置「ＷＰ1」から記録サイズ「ＴＬ1」だけ連続して記録されていることから、「先頭位置データ」を「ＷＰ1」、「記録長データ」を「ＴＬ1」に設定する。さらに、ファイル名「ＦＩＬＥ１」のデータは、レコードエントリＲＥ１で示されるデータで完了するものでないことから、レコードエントリＲＥ２を作成すると共に、このレコードエントリＲＥ１の「次のレコードエントリのリンク」の領域には、「レコードエントリＲＥ２へのリンク」を設定する。
【００３２】
レコードエントリＲＥ２では、レコードエントリＲＥ１で示されるデータに続けて、ファイル名「ＦＩＬＥ１」のデータが位置「ＷＰ2」から記録サイズ「ＴＬ2」だけ連続して記録されていることから、「先頭位置データ」を「ＷＰ2」、「記録長データ」を「ＴＬ2」に設定する。さらに、ファイル名「ＦＩＬＥ１」のデータは、レコードエントリＲＥ２で示されるデータで完了するものでないことから、レコードエントリＲＥ３を作成すると共に、このレコードエントリＲＥ２の「次のレコードエントリのリンク」の領域には、「レコードエントリＲＥ３へのリンク」を設定する。
【００３３】
レコードエントリＲＥ３では、レコードエントリＲＥ２で示されるデータに続けて、ファイル名「ＦＩＬＥ１」のデータが位置「ＷＰ3」から記録サイズ「ＴＬ3」だけ連続して記録されていることから、「先頭位置データ」を「ＷＰ3」、「記録長データ」を「ＴＬ3」に設定する。さらに、ファイル名「ＦＩＬＥ１」のデータは、レコードエントリＲＥ３で示されるデータで完了することから、レコードエントリＲＥ３の「次のレコードエントリのリンク」の領域には、「終了値(ＥＮＤ)」を設定する。
【００３４】
このようにして、ファイル名「ＦＩＬＥ１」のデータの記録位置を示すファイルエントリＦＥとレコードエントリＲＥ１，ＲＥ２，ＲＥ３を生成できる。また、ファイル名「ＦＩＬＥ１」のデータを読み出す際には、ファイル名「ＦＩＬＥ１」のファイルエントリから最初のレコードエントリを判別すると共に、この最初のレコードエントリおよび順次リンクするレコードエントリの「先頭位置データ」および「記録長データ」に基づいて、ストレージ部３０からデータの読み出しを行うことで、ファイル名「ＦＩＬＥ１」のデータの記録位置が不連続であっても正しく読み出すことができる。
【００３５】
ここで、ＡＶサーバに蓄積されている素材の編集を行う場合、編集機側から素材が指定されると、この指定された素材のファイル管理情報に基づき、素材の映像や音声データをＡＶサーバから編集機側に転送する。
【００３６】
編集機側では、編集処理を行い再生情報を生成する。この再生情報は、図５に示すように、ファイル名とそのファイルの再生開始位置と再生終了位置、および再生動作に関する情報や圧縮されている素材データを伸長して得られたデータの再生条件等を示す情報から構成されており、編集処理後の素材の実データを有しない仮想データファイルである。この再生情報とファイル管理情報に基づいてＡＶサーバのストレージ部３０から素材データを読み出すことで、編集処理後の素材データを出力させることができる。
【００３７】
例えば、図５に示す再生情報に基づいて再生動作が開始されたとき、再生情報では、ファイル名が「ＦＩＬＥ１」であると共に、ファイルの再生開始位置Ｐaと再生終了位置Ｐbが指示されていることから、ファイル管理情報を利用して、図６に示すようにファイル「ＦＩＬＥ１」の先頭位置「ＷＰ1」から「Ｐa」が経過した位置「ＷＰa」以降の素材データの読み出しが行われて再生動作が開始されると共に、「Ｐa」から「Ｐb」までのデータが再生が行われた位置「ＷＰb」で素材データの読み出しが停止されて再生動作が終了される。
【００３８】
図７は、再生情報の具体例を示しており、この再生情報に基づいて再生動作を行うものとすると、映像については、「ＦＩＬＥ Ａ」のデータの１分〜２分までが最初に再生されると共に、このとき映像信号の再生条件はゲインが−６ｄｂに設定される。次に、「ＦＩＬＥ Ｂ」のデータの２分〜３分までが再生される。その後、ファイル名「ＭＵＴＥ」によって再生動作が制御されて１分間のミュート動作が行われる。次に、「ＦＩＬＥ Ｃ」のデータの３分〜４分までが、色差信号のゲインを−６ｄｂに設定して再生が行われる。その後「ＦＩＬＥ Ｃ」の最終画面が４分間表示されて再生処理を終了する。
【００３９】
音声の第１チャネルでは、「ＦＩＬＥ Ａ」のデータの２分〜３分までが最初に再生されてフェードアウト動作を行って「ＦＩＬＥ Ａ」の再生を完了させる。その後１分間のミュート動作が行われたのち、「ＦＩＬＥ Ｃ」のデータの４分〜５分までが再生されて処理を終了する。
【００４０】
また、音声の第２チャネルでは、「ＦＩＬＥ Ａ」のデータの２分〜３分までが最初に再生されて、次に「ＦＩＬＥ Ｂ」のデータの３分〜４分までが再生されたのち、「ＦＩＬＥ Ｃ」のデータの４分〜５分までが再生されると共に、「ＦＩＬＥ Ｂ」と「ＦＩＬＥ Ｃ」のデータの切り換えではクロスフェード処理が行われる。
【００４１】
次に、素材データの伝送で用いられるＳＤＴＩ−ＣＰのフォーマットについて説明する。図８は、ＳＤＴＩ−ＣＰフォーマットを示している。例えばＮＴＳＣ５２５方式のディジタルビデオ信号の場合、各ラインの第１ワードから第４ワードまでの４ワードは、ＳＤＩフォーマットの符号ＥＡＶ（End of Active Video）を格納する終了同期符号領域として用いられる。第５ワードから第２７２ワードまでの２６８ワードは、補助データ領域（アンシラリデータ領域）として用いられ、ヘッダ情報が格納される。
【００４２】
このヘッダ情報では、映像フレームのライン番号やＳＡＶからＥＡＶまでのペイロード領域のワード長がどのような設定とされているか、ペイロード領域は固定長の形式のデータか可変長の形式のデータであるか、および送出側や受取側のアドレス等が示される。なお、ＳＤＴＩ−ＣＰフォーマットでは、圧縮されたビデオデータ（映像データ）をコンテントアイテムとして伝送することから、ピクチャ毎にデータ量が異なり、ペイロード領域は可変長の形式のデータとされる。
【００４３】
次に、第２７３ワードから第２７６ワードまでの４ワードは、符号ＳＡＶ（Start of Active Video）を格納する開始同期符号領域として用いられる。また第２７７ワード以降はＳＤＴＩフォーマットのペイロード領域に相当するものであり、この領域にコンテントパッケージが挿入される。なお、図８において、括弧内の数字はＰＡＬ６２５方式のビデオ信号の場合を示している。
【００４４】
次に、図８のペイロード領域では、上述したようにビデオ等のアイテムの圧縮データがＳＤＴＩフォーマットの可変長ブロックの形式としてパッケージ化される。図９は可変長ブロックのフォーマットを示している。「Ｓｅｐａｒａｔｏｒ」および「Ｅｎｄ  Ｃｏｄｅ」は可変長ブロックの開始と終了を示すものである。
【００４５】
「Ｄａｔａ  Ｔｙｐｅ」はパッケージ化されているデータが、どのようなアイテムのデータであるかを示すものであり、「Ｄａｔａ  Ｔｙｐｅ」の値は例えばシステムアイテム(System Item)では「０４h」、ピクチャアイテム(Picture Item)では「０５h」、オーディオアイテム(Audio Item)では「０６h」、他のデータであるＡＵＸアイテム(Auxiliary Item)では「０７h」とされる。なお、１ワードは１０ビットであり、例えば「０４h」に示すように８ビットであるときには、８ビットがビットｂ７〜ｂ０に相当する。また、ビットｂ７〜ｂ０の偶数パリティをビットｂ８として付加すると共に、ビットｂ８の論理反転データをビットｂ９として付加することにより１０ビットのデータとされる。
【００４６】
「Ｗｏｒｄ  Ｃｏｕｎｔ」では「Ｄａｔａ  Ｂｌｏｃｋ」のワード数を示しており、この「Ｄａｔａ  Ｂｌｏｃｋ」が各アイテムのデータである。ここで、各アイテムのデータは、ピクチャ単位例えばフレーム単位でパッケージ化されると共に、ＮＴＳＣ方式では、番組の切り替え位置が１０ラインの位置に設定されていることから、ＮＴＳＣ方式では図８に示すように１３ライン目からシステムアイテム、ピクチャアイテム、オーディオアイテム、ＡＵＸアイテムの順に伝送される。
【００４７】
図１０は、システムアイテムの構成を示している。「Ｓｙｓｔｅｍ  ＩｔｅｍＴｙｐｅ」と「Ｗｏｒｄ  Ｃｏｕｎｔ」は可変長ブロックの「Ｄａｔａ  Ｔｙｐｅ」と「Ｗｏｒｄ  Ｃｏｕｎｔ」に相当する。１ワードの「Ｓｙｓｔｅｍ  Ｉｔｅｍ  Ｂｉｔｍａｐ」では、例えばリードソロモン符号等のような誤り検出訂正符号が加えられているか否かを示すフラグ、ＳＭＰＴＥ  Ｌａｂｅｌの情報があるか否かを示すフラグ、Ｒｅｆｅｒｅｎｃｅ  Ｄａｔｅ／Ｔｉｍｅ  ｓｔａｍｐ、Ｃｕｒｒｅｎｔ  Ｄａｔｅ／Ｔｉｍｅ  ｓｔａｍｐがシステムアイテムにあるか否かを示すフラグ、ピクチャアイテムやオーディオアイテムおよびＡＵＸアイテムがシステムアイテムの後にあるか否かを示すフラグ等が設けられている。
【００４８】
１ワードの「Ｃｏｎｔｅｎｔ  Ｐａｃｋａｇｅ  Ｒａｔｅ」では、１倍速動作における１秒当たりのパッケージ数であるパッケージレート(Package Rate)が示される。また、１ワードの「Ｃｏｎｔｅｎｔ  Ｐａｃｋａｇｅ  Ｔｙｐｅ」では、ストリーム内における当該ピクチャ単位の位置を識別するための「Ｓｔｒｅａｍ  Ｓｔａｔｅｓ」フラグや、伝送パケットの伝送モード、伝送パケットを伝送する際の伝送タイミングモードが示される。
【００４９】
「Ｃｏｎｔｅｎｔ  Ｐａｃｋａｇｅ  Ｔｙｐｅ」に続く２ワードの「Ｃｈａｎｎｅｌ  Ｈａｎｄｌｅ」は、複数の番組のコンテントパッケージが多重化されて伝送される場合に、各番組のコンテントパッケージを判別するためのものである。また、２ワードの「Ｃｏｎｔｉｎｕｉｔｙ  Ｃｏｕｎｔ」は、１６ビットのモジュロカウンタであり、ストリームスイッチャ等によってストリームの切り替えがあるときには、このカウンタの値を利用して切り替え点（編集点）の検出が可能となる。
【００５０】
「Ｃｏｎｔｉｎｕｉｔｙ  Ｃｏｕｎｔ」の後には、ＳＭＰＴＥ  ＬａｂｅｌやＲｅｆｅｒｅｎｃｅ  Ｄａｔｅ／ＴｉｍｅおよびＣｕｒｒｅｎｔ  Ｄａｔｅ／Ｔｉｍｅを示す「ＳＭＰＴＥ  Ｕｎｉｖｅｒｓａｌ  Ｌａｂｅｌ」、「Ｒｅｆｅｒｅｎｃｅ  Ｄａｔｅ／Ｔｉｍｅ  ｓｔａｍｐ」、「Ｃｕｒｒｅｎｔ  Ｄａｔｅ／Ｔｉｍｅ  ｓｔａｍｐ」領域が設けられる。
【００５１】
そのあとに、「Ｐａｃｋａｇｅ  Ｍｅｔａｄａｔａ  Ｓｅｔ」や「Ｐｉｃｔｕｒｅ  Ｍｅｔａｄａｔａ  Ｓｅｔ」「Ａｕｄｉｏ  Ｍｅｔａｄａｔａ  Ｓｅｔ」「Ａｕｘｉｌｉａｒｙ  Ｍｅｔａｄａｔａ  Ｓｅｔ」領域が設けられる。なお、「Ｐｉｃｔｕｒｅ  Ｍｅｔａｄａｔａ  Ｓｅｔ」「Ａｕｄｉｏ  Ｍｅｔａｄａｔａ  Ｓｅｔ」「Ａｕｘｉｌｉａｒｙ  Ｍｅｔａｄａｔａ  Ｓｅｔ」は、対応するアイテムが「Ｓｙｓｔｅｍ  Ｉｔｅｍ  Ｂｉｔｍａｐ」のフラグによってコンテントパッケージに内に含まれることが示されたときに設けられる。
【００５２】
この「Ｐａｃｋａｇｅ  Ｍｅｔａｄａｔａ  Ｓｅｔ」領域では、番組タイトル等のコンテントパッケージに関する情報が示される。「Ｐｉｃｔｕｒｅ  Ｍｅｔａｄａｔａ  Ｓｅｔ」「Ａｕｄｉｏ  Ｍｅｔａｄａｔａ  Ｓｅｔ」「Ａｕｘｉｌｉａｒｙ  Ｍｅｔａｄａｔａ  Ｓｅｔ」領域では、対応するビデオやオーディオあるいはＡＵＸデータ等のパッケージ化されているアイテムに関する情報が示される。
【００５３】
図１１はシステムアイテムを除いたビデオやオーディオ等のアイテム（以下「素材用アイテム」という）の構成を示している。各アイテムのブロック「Ｉｔｅｍ  Ｔｙｐｅ」は、アイテムの種類を示しており、ピクチャアイテムでは「０５h」、オーディオアイテムでは「０６h」、ＡＵＸデータアイテムでは「０７h」とされる。「Ｉｔｅｍ  Ｗｏｒｄ  Ｃｏｕｎｔ」ではこのブロックの終わりまでのワード数（可変長ブロックの「Ｗｏｒｄ  Ｃｏｕｎｔ」に相当）を示している。「Ｉｔｅｍ  Ｗｏｒｄ  Ｃｏｕｎｔ」に続く「Ｉｔｅｍ  Ｈｅａｄｅｒ」では、「Ｅｌｅｍｅｎｔ  Ｄａｔａ  Ｂｌｏｃｋ」の数が示される。この「ＩｔｅｍＨｅａｄｅｒ」に続く「Ｅｌｅｍｅｎｔ  Ｄａｔａ  Ｂｌｏｃｋ」がアイテムのデータ領域とされる。
【００５４】
次に、ＡＶサーバから編集結果を伝送する際の動作について図１２のフローチャートを用いて説明する。ここで、編集結果の伝送はＡＶサーバの入出力処理部２０で行う。入出力処理部２０の入出力制御回路２０５では、ステップＳＴ１で送信するファイルをオープンしてステップＳＴ２に進む。
【００５５】
ステップＳＴ２では、オープンしたファイルがファイルマネジャ４０２に登録されている再生情報であるか否かを判別する。ここで、再生情報であると判別されたときには、ステップＳＴ３に進む。また再生情報であると判別されないときにはステップＳＴ６に進む。
【００５６】
ステップＳＴ３では、再生情報で指定された素材データをストレージ部３０から読み出して１ファイル化してステップＳＴ４に進む。ステップＳＴ４では、１ファイル化された素材データに合わせて再生情報を変換する。
【００５７】
例えば、図７に示した再生情報のファイルをオープンしたときには、再生情報で示された素材データ「ＦＩＬＥ Ａ」,「ＦＩＬＥ Ｂ」，「ＦＩＬＥ Ｃ」の映像および音声データを、割り当てられたタイムスロットでストレージ部３０から読み出して１つの実データファイル「ＦＩＬＥ Ｅ」とする。また、図７の再生情報を実データファイル「ＦＩＬＥ Ｅ」に合わせて変換して、図１３に示すように新たな再生情報のファイル「ＦＩＬＥ  Ｆ」を生成する。すなわち、映像のデータでは、「ＦＩＬＥ Ｅ」のデータの最初から１分までが「ＦＩＬＥ Ａ」のデータの１分〜２分に対応し、ゲインが−６ｄｂとされる。「ＦＩＬＥ Ｅ」のデータの１分〜２分までが「ＦＩＬＥ Ｂ」のデータの２分〜３分に対応する。また音声の第１チャネルについては、「ＦＩＬＥ Ｅ」のデータの最初から１分までが「ＦＩＬＥ Ａ」のデータの２分〜３分に対応して、フェードアウト動作を行って「ＦＩＬＥ Ｅ」の再生を完了させる。その後１分間のミュート動作が行われたのち、「ＦＩＬＥ Ｅ」のデータの１分〜２分までが「ＦＩＬＥ Ｃ」のデータの４分〜５分に対応する。以下同様に編集内容が同一となるように再生情報を変換して、変換後の再生情報をファイル「ＦＩＬＥ  Ｆ」としてステップＳＴ５に進む。
【００５８】
ステップＳＴ５では、「ＦＩＬＥ Ｅ」の映像データを用いて「ＰＩＣＴＵＲＥ  ＩＴＥＭ」を生成すると共に音声データを用いて「ＡＵＤＩＯ  ＩＴＥＭ」を生成して、ＳＤＴＩ−ＣＰフォーマットのペイロード領域に挿入して伝送する。また再生情報のファイル「ＦＩＬＥ  Ｆ」は、例えば「ＳＹＳＴＥＭ  ＩＴＥＭ」の「ＰＡＣＫＡＧＥ  ＭＥＴＡＤＡＴＡ  ＳＥＴ」に入れて伝送する。また、再生情報の伝送では、再生情報の映像のデータに関する情報を「ＰＩＣＴＵＲＥ  ＭＥＴＡＤＡＴＡ  ＳＥＴ」に入れて、音声のデータに関する情報を「ＡＵＤＩＯ  ＭＥＴＡＤＡＴＡ  ＳＥＴ」に入れて伝送するものとしても良い。このステップＳＴ５でデータの伝送処理が完了したときにはステップＳＴ７に進む。
【００５９】
ステップＳＴ２からステップＳＴ６に進むと、ステップＳＴ６では、オープンされたファイルのデータを伝送する。すなわち、オープンされたファイルの映像データを用いて「ＰＩＣＴＵＲＥ  ＩＴＥＭ」を生成すると共に音声データを用いて「ＡＵＤＩＯ  ＩＴＥＭ」を生成して、ＳＤＴＩ−ＣＰフォーマットのペイロード領域に挿入して伝送する。
【００６０】
ステップＳＴ７では、伝送したファイルをクローズして、データの転送処理を完了する。
【００６１】
次に、受信側での動作について図１４のフローチャートを用いて説明する。入出力制御回路２０５では、ステップＳＴ１１で受信するファイルをオープンしたのちステップＳＴ１２でデータ受信を行う。次にステップＳＴ１３では、再生情報のファイルを受信したか否かを判別して、再生情報のファイルを受信したときにはステップＳＴ１４に進み、受信していないときにはステップＳＴ１５に進む。
【００６２】
ステップＳＴ１４では、受信した素材データのファイル「ＦＩＬＥ Ｅ」を、割り当てられたタイムスロットでストレージ部３０に書き込むと共に、このストレージ部３０に書き込まれたファイル「ＦＩＬＥ Ｅ」を参照できるように、受信した再生情報のファイル「ＦＩＬＥ  Ｆ」をファイルマネジャ４０２に登録してステップＳＴ１６に進む。なお、素材データのファイル「ＦＩＬＥ Ｅ」をストレージ部３０に記録した場合、ファイルマネジャ４０２では素材データのファイル「ＦＩＬＥ Ｅ」に対するファイル管理情報の生成を行い、このファイル管理情報に基づいて、素材データのファイル「ＦＩＬＥ Ｅ」を読み出し可能とする。
【００６３】
ステップＳＴ１５では、受信した素材データをストレージ部３０に書き込むと共に、ファイルマネジャ４０２では、この書き込んだ素材データに対するファイル管理情報を生成して保持する。
【００６４】
ステップＳＴ１４およびステップＳＴ１５からステップＳＴ１６に進むと、ステップＳＴ１６では、受信したデータのファイルをクローズして受信処理を終了する。
【００６５】
このように、再生情報によって指定された素材データを１つのファイルとすると共に、この再生情報を１つのファイルとされた素材データに対応する再生情報に変換して、再生情報と１ファイル化された素材データを、圧縮データの伝送を可能とするＳＤＴＩ−ＣＰフォーマットの伝送パケットとして伝送することで、高速に編集結果を伝送することができる。
【００６６】
また、再生情報によって指定された素材データが１ファイル化されているので、のりしろＧＯＰ等の余分なデータを伝送する必要がなく、効率良く簡単に伝送処理を行うことができる。
【００６７】
このため、例えばメインサーバからローカルサーバに編集済みの素材データを配信する場合や、メインサーバに蓄積されている編集済みの素材データをアーカイバに供給する場合等において、速やかに編集済みの素材データを伝送することが可能となる。また、素材データを圧縮した状態のまま伝送できるので、Ａ／Ｖサーバに圧縮されて蓄積されている映像データを伝送する際に、デコード処理を行ってベースバンドのデータに戻して伝送処理を行い、このベースバンドのデータに対してエンコード処理を行って圧縮データとする処理が不要であり、デコード処理やエンコード処理によって生ずる画質の劣化を防止できる。
【００６８】
また、受信側の機器に素材データが既に蓄積されているときには、再生情報のみをＳＤＴＩ−ＣＰフォーマットの伝送パケットとして伝送するものとしても良い。この場合、再生情報を高速伝送することができると共に、再生情報には再生条件や再生動作に関する情報も含まれていることから、再生条件に応じた素材データを生成してから伝送しなくとも、既に蓄積されている圧縮されている素材データを用いて、編集時に指定された再生条件で素材を再生することもできる。
【００６９】
【発明の効果】
この発明によれば、記録媒体に記録されている素材データから所望のデータを読み出すための再生情報がペイロード領域のアイテムに挿入されて伝送される。また、ランダムアクセス可能な記録媒体に記録されている素材データから所望のデータを再生するための再生情報に基づいて、記録媒体から素材データを割り当てられた処理期間で読み出されて、シリアルデータトランスファーインタフェースのペイロード領域のアイテムに、再生情報と読み出された素材データが挿入されて出力される。このため、編集結果の伝送を高速かつ効率よく簡単に行うことができる。
【００７０】
また再生情報は、素材データの再生条件や素材データの再生動作を制御する情報を有しているので、再生条件に応じた素材データを生成してから伝送しなくとも、編集結果に基づいた再生動作を行わせることができる。
【００７１】
また、記録媒体から読み出された素材データが１ファイル化されると共に、再生情報が１ファイル化された素材データに対応するように変換されて伝送されるので、編集後の素材データの伝送や管理を容易に行うことができると共に、変換後の再生情報によって、伝送された素材データを正しく再生することができる。
【００７２】
さらに、素材データと素材データの再生動作を制御する再生情報が供給されたときには、素材データが、割り当てられた処理期間でランダムアクセス可能な記録媒体に書き込まれると共に、再生情報は記記録媒体に記録された素材データを管理する管理手段に登録される。このため、管理手段に登録された再生情報に従って、記録媒体に記録されている素材データを読み出すことで、編集処理後の素材データの出力を受信側の機器で行うことができる。
【図面の簡単な説明】
【図１】この発明に係るデータ記録再生装置の構成を示す図である。
【図２】ファイル管理情報を示す図である。
【図３】ファイル管理情報の各エントリの構成を示す図である。
【図４】ファイルエントリとレコードエントリの生成を説明するための図である。
【図５】再生情報を示す図である。
【図６】再生情報に基づいた再生動作を説明するための図である。
【図７】再生情報の具体例を示す図である。
【図８】ＳＤＴＩ−ＣＰフォーマットを説明するための図である。
【図９】可変長ブロックのフォーマットを示す図である。
【図１０】システムアイテムの構成を示す図である。
【図１１】システムアイテムを除く他のアイテムの構成を示す図である。
【図１２】送信側の動作を示すフローチャートである。
【図１３】新たに生成された再生情報を示す図である。
【図１４】受信側の動作を示すフローチャートである。
【図１５】従来の編集された素材データの伝送動作を説明するための図である。
【符号の説明】
２０・・・入出力処理部、３０・・・ストレージ部、４０・・・動作管理部、５０・・・バス、２０１・・・データ受信回路、２０２，２０３・・・バッファメモリ、２０４・・・データ送信回路、２０５・・・入出力制御回路、４０１・・・タイミングマネジャ、４０２・・・ファイルマネジャ、４０３・・・エフェクトマネジャ
【図１】
0004356219.tif 000002
【図２】
0004356219.tif 000003
【図３】
0004356219.tif 000004
【図４】
0004356219.tif 000005
【図５】
0004356219.tif 000006
【図６】
0004356219.tif 000007
【図７】
0004356219.tif 000008
【図８】
0004356219.tif 000009
【図９】
0004356219.tif 000010
【図１０】
0004356219.tif 000011
【図１１】
0004356219.tif 000012
【図１２】
0004356219.tif 000013
【図１３】
0004356219.tif 000014
【図１４】
0004356219.tif 000015
【図１５】
0004356219.tif 000016